(57)【特許請求の範囲】
【請求項１】
少なくとも手の指先、手のひら部、および手の甲部を覆う被覆体を備え、前記手の爪を保護する手袋であって、前記手袋の少なくとも人差し指部、中指部、薬指部の前記被覆体の内側でかつ手のひら方向側にそれぞれ固定体を備え、
前記固定体は、前記各指先部の先端部の前記被覆体内側から所定寸法に前記固定体の一方の先端部が存在し、前記所定寸法は、大人用手袋で、前記人差し指、前記中指、前記薬指にあっては、それぞれ１ｃｍ以内、子供用手袋にあっては、それぞれ０．５ｃｍ以内であり、
前記固定体は、前記一方の先端部から前記各指部のつけね部まで長さ方向に延び、さらに手のひら方向に延びる固定体であって、前記固定体の他方の長さ方向の先端部は、前記手のひら部分に少なくとも前記手のひら部の長さの１／２以上の長さにわたって延びる固定体であることを特徴とする手袋。
【請求項２】
固定体の前記一方の先端部は、前記各指先の長さ方向の断面形状において、前記手袋の指の先端部の甲側の前記被覆体の内側と同じ位置に前記固定体の一方の先端部を有することを特徴とする請求項１記載の手袋。
【請求項３】
前記固定体を全ての指に備え、かつ、前記固定体の前記所定寸法が、親指部にあっては、大人用手袋で１．２ｃｍ以内、子供用手袋で０．６ｃｍ以内であり、小指部にあっては、大人用手袋で１ｃｍ以内、子供用手袋で０．５ｃｍ以内であることを特徴とする請求項１または２に記載の手袋。
【発明の詳細な説明】
【技術分野】
【０００１】
本発明は、手の爪による掻きむしりなどにより、体の表面を傷つけるのを防止したり、または、爪自体の損傷を防ぐための保護用の手袋に関する。
【背景技術】
【０００２】
従来からアトピー性皮膚炎などのアレルギー疾患を患っている患者、特に、幼児や子供などを意識した、掻きむしり防止のための手袋、防具などは種々、提案されている。
【０００３】
例えば、特許文献１には、手の指先全体をそっくり入れることができる二重構造の掻きむしり防止用手袋が開示されている。この手袋は、外袋と内袋からなる独立した少なくとも２枚の袋材によって手を覆う複数構造の手袋状に形成され、内袋における少なくとも先端部が遊離するような構造になっている。
【０００４】
また、特許文献２には、手の指でからだの表面を掻きむしるのを防止するため、手袋の５本の指の先端部分を覆う手袋が開示されている。
【特許文献１】特開平９−５９８０９号公報
【特許文献２】特開２００５−５４３３７号公報
【発明の開示】
【発明が解決しようとする課題】
【０００５】
しかしながら、これらの特許文献は、あくまでも、アトピー性皮膚炎など、掻きむしりを我慢のできない、いわば重症の患者向けに提案されたものである。
【０００６】
従って、それぞれ、着用するには、相当の我慢が必要であるなど問題点が多い。例えば、特許文献１では、手が暑苦しく、使い勝手は良くない。また、特許文献２では、キャップ体で覆われるので、これまた、人によっては暑苦しく感じられたり、使用する人の爪先の形状などにも制約を受ける。
【０００７】
一方、世の中の一般の人においても、これほどの重症でなくても、個人差はあるが、睡眠時には、無意識に爪を立てたり、掻きむしったりすることがある。
【０００８】
その掻きむしりにより、自分の顔、首、手、足を傷つけたりすることもある。また、無意識にシーツやその他の寝具などを掻きむしることにより、指の爪自体を損傷することもある。これは特に爪を長く伸ばしている女性などに見受けられることである。
【０００９】
本発明は、爪を長く伸ばした人、特に女性など、一般の人が、通常の手袋と同じような感覚で、つまり、嵌める、外すなど装着、着脱が容易な保護用の手袋を提供することを目的とする。
【課題を解決するための手段】
【００１０】
本発明の手袋は、少なくとも手の指先、手のひら部、および手の甲部を覆う被覆体を備え、前記手の爪を保護する手袋であって、前記手袋の少なくとも人差し指部、中指部、薬指部の前記被覆体の内側でかつ手のひら方向側にそれぞれ固定体を備え、前記固定体は、前記各指先部の先端部の前記被覆体内側から所定寸法に前記固定体の一方の先端部が存在し、前記所定寸法は、大人用手袋で、前記人差し指、前記中指、前記薬指にあっては、それぞれ１ｃｍ以内、子供用手袋にあっては、それぞれ０．５ｃｍ以内であり、前記固定体は、前記一方の先端部から前記各指部のつけね部まで長さ方向に延び、さらに手のひら方向に延びる固定体であって、前記固定体の他方の長さ方向の先端部は、前記手のひら部分に少なくとも前記手のひら部の長さの１／２以上の長さにわたって延びる固定体であることを特徴とする。
【発明の効果】
【００１１】
本発明の手袋を使用することにより、無意識の掻きむしりにより、自分の顔、首、腕、手、足を傷つけたりすることが無くなり、また、掻きむしりにより、手の爪を損傷することも起こりにくくなる。
【発明を実施するための最良の形態】
【００１２】
以下に図面を用いて本発明の実施形態を説明するが、その前に本発明のポイントについて先に述べる。本発明の最大の特徴は、指先、特に爪のある先端部分を曲げることを防止するための抵抗体、以下、本明細書ではこれを固定体というが、この固定体を手袋の少なくとも人差し指部、中指部、薬指部の内側に備えることである。
【００１３】
（第１の実施形態）
図１は、本発明の第１の実施形態に係る手袋２０の全体図である。図１は、具体的には、左手用の手袋を手のひら側からみた透かし図である。図中、５は親指部、６は、人差し指部、７は中指部、８は薬指部であり、符号は付けていないが、小指部もある。各指部にある一点鎖線４は、手袋を人が着用した場合に手の爪が来ると思われる位置を参考のために記載したものである。爪の形は勿論個人差があるが、図１にあっては、通常、多くの人がしているように、爪先を普通に短く切った形状を想定している。なお、この想定形状は、後述する図２を参照して頂ければより明瞭に理解される。また、図１は模式図であるので、爪先４から手袋の先、つまり、手袋の厚さ相当部分は他の部位との縮尺の関係では大きく描かれている。
【００１４】
図１の説明をさらに続ける。図中、９は手袋の手のひら部である。１１は、本発明のポイントである固定体である。図示するように、人差し指部６、中指部７、薬指部８から、手のひら部９へ、それぞれ、固定体１１が伸びている。固定体は、図１のように、一方の先端は、爪の根元部があるあたりに達している。また、他方の先端は、つまり、手のひら側へは指と手のひらを分ける境界線、Ｘ−Ｘ’から、手のひらと腕との境部Ｚ−Ｚ’の方向の長さの少なくとも１／２は手のひら部に延びていることが必要である。なお、より好ましくは２／３以上伸びていることが好ましい。図１は、このより好ましい２／３程度か、それよりやや長い程度に伸ばした図である。
【００１５】
この辺の詳細説明などは後述する。また、図１のＡ−Ａ’、Ｙ−Ｙ’は後述する図で用いる。また、手袋２０は、手のひらと腕との境部、換言すれば、腕部の付け根部Ｚ−Ｚ’から腕部側に適当な長さの覆い部２１を有することもできる。勿論、この覆い部２１はなくても良い。
【００１６】
図２は、手袋２０の人差し指部に実際に指を入れたとき、つまり、手袋を着用したときの断面図であり、図１のＡ−Ａ’方向の断面図である。図２中、１は、指の先端部分の可動部、つまり、爪を有する部分で、専門的には末節骨を有する部分である。２は、真ん中の可動部分、専門的には中節骨と言われる部分である。また、３は、第３の可動部分、専門的には基節骨を有する部分、つまり、手のひらにつながる部分である。また、９は手のひら部分である。なお、人指し指部を例示して示したが、中指部、薬指部でも事情は同じである。
【００１７】
固定体１１は、金属、竹、木材、プラスチック類、硬質ゴムなどの材質からなる平たく細長い固体である。この固定体１１を覆うように、柔らかい布地や生地、天然皮革、人工皮革などからなる保護体１２が設けられている。そして、図２に示すように手袋を形成する被覆体１３の内側で各指部の手のひら方向側の箇所に図示しない接着剤などを用いて貼り付ける、図示しない糸などで縫い付ける、などの方法で固定されている。これにより、固定体１１が指などに直接的に接しないので快適さが維持できる。なお、本明細書でいう被覆体とは通常、手袋の布地などとも言われるものであり、手袋を構成するものであり、手袋の全体に渡って設けられ、手を保護している。本発明の手袋では、この材質は、例えば、綿、絹、ナイロン、毛糸などの繊維製の布地や、天然皮革、人工皮革、プラスチックスその他の手や爪を保護する肌に優しい素材であれば良い。保護体１２の材質は被覆体１３の材質と同じでも良く変えても良い。ただ、固定体が剛体であるので、それを覆う程度の強度も持ち、手に優しい材料であることが望ましい。
【００１８】
また、図２で示すｄ部寸法、つまり、手袋の指先の先端の被覆体１３の内側から固定体までの寸法、図示するｄ部寸法は、大人用手袋で１．０ｃｍ程度、子供用手袋で０．５ｃｍ程度が最大の許容値である。勿論、ｄ部寸法はこの寸法よりも小さくても良い。つまり、固定体１１は図２よりも長くても良い。例えば、大人用手袋は０．５ｃｍ程度以下、子供用手袋は、０．３ｃｍ以下の方がなお好ましい。
【００１９】
なお、ｄ寸法として前述の大人用１．０ｃｍ程度、子供用０．５ｃｍ程度以内が必要という理由は、固定体１１の先端部が後述する指先を曲げず、本発明の目的を達するためには、最低でも指の先端部分の可動部、つまり、末節骨を有する部分の長さの１／２以上の箇所を固定体が覆う必要があるからである。つまり、換言すれば、本発明の手袋の固定体１１は、手袋を普通に着用した場合において、指の末節骨を有する部分の長さの１／２以上に渡って固定体１１が手のひら部から延びているように設けられているとも言える。  
【００２０】
また、固定体を覆う保護体１２は、図２では両側から覆われているが、手のひら側に接する方の反対側、つまり、固定体１１の下、１１と１３に挟まれた側の保護体１２はなくても良い。即ち、固定体１１を手袋の被覆体１３に接着材等により直接貼り付けるなどして、この間の保護体１２は削除できる。また、手のひら側９に延びるＣ寸法は、最低でも手のひら部の長さの１／２は必要である。なお、手のひら部の長さとは、例えば、人差し指では、１図のＸ−Ｘ’寸法からＺ−Ｚ’寸法であり、図示するように、固定体１１が、この長さの１／２以上存在していることが必要である。また、前述のように、固定体がこの長さの２／３以上存在していることがなお好ましい。
【００２１】
図３は、手袋の指先の断面図であり、図１のＹ−Ｙ’の断面における指との関係も示す図である。図中、４は爪、１は指の末節骨を有する部分、つまり、指の先端の可動部分である。これを覆うように手袋がある。１３は手袋の被覆体であり、この断面部分では、固定体１１が保護体１２に覆われて図のように被覆体１３の内側に設けられ、手袋を形成している。
【００２２】
固定体の幅寸法Ｗ、厚さ寸法ｔは、その材質によっても変わるので一律にいくらとは決められないが、幅寸法Ｗは、指幅Ｕの幅の半分程度、具体的には大人用であれば、０．８ｃｍ程度が好ましい。また、厚さ寸法は、指圧で曲がらなければなるべく薄い方が好ましい。具体的には材質にもよるが、０．１ｃｍ程度から０．２ｃｍ程度が好ましい。なお、以上に示した幅寸法、厚さ寸法は一例であり、これと異なるものを排除する趣旨ではない。たとえば、手袋の被覆体の厚さが厚くて、固定体の厚さが気にならない場合には、０．３〜０．５ｃｍ程度あっても良い。また、幅寸法も指幅近くあっても良い。なお、図１では、固定体の幅を指先部から手のひら部まで同じ幅で示しているがこの幅を変えてもよい。たとえば、手のひら部の幅を小さくしても良い。また、大きくすることもできる。
【００２３】
第１の実施形態の手袋を製造するのには、種々の方法が考えられる。例えば第１の方法としては、手袋の被覆体１１全体を図示しないが２つに分割しておく。つまり図２で示す手のひら側１３ａと、手の甲側１３ｂとに分けておく。次に所定の寸法をもつ固定体１１を保護体１２で覆った部材を人指し指用、中指用、薬指用とそれぞれ用意する。勿論、この場合、同じものを兼用することもできる。次に部材を手のひら側の被覆体のそれぞれの指部の所定位置に接着材等を用いて貼り付ける。最後に手のひら側の被覆体と手の甲側の被覆体とを例えば図示しない側面部などで糸などを用いて縫いあわせるなどにより製造できる。第２の製造方法の例としては、手のひら側と各指部を予め貼り合わせ、縫い合わせなどで一体としていた手袋被覆体を用意しておき、その人差し指部、中指部、薬指部および手のひら部に前述の部材を接着剤で貼り付ける、糸などで縫いあわせるなどした後、手の甲側の被覆体を縫いあわせるなどすることも可能である。その他、種々の方法が可能であるが、本発明のポイントから外れるので、その他の記載は割愛する。
【００２４】
（第１の実施形態の変形例）
また、このｄ部寸法は短くして、零にすることも勿論できる。これを描いたのが図４である。図４では、固定体１１の先端部１１ａの端部、つまり、固定体１１の先端は、手袋の指の甲側と同じ位置、つまり図のＤ−Ｄ’にまで伸ばすことができる。図４は、また、換言すれば、手袋の指の先端部の甲側の被覆体１３の内側と同じ位置に固定体１１の一方の先端部を有していると言える。これにより、爪が長い場合でも問題がなく、爪の保護ができる、という更なる効果を奏する。なお、図示しないが、この変形例の図４よりもさらに固定体１１の先端部１１ａをＤ−Ｄ’の先へ延ばす、つまり、図の右側の方向に延ばす、手袋の指の先端部の甲側の被覆体１３よりもさらに外側に延ばすように構成することができるのはいうまでもない。
【００２５】
また、図４における１２ａ部、つまり、固定体指先側（１１ａ）先端部はなくても良い。つまり、固定体１１の周囲を保護する保護体１２の１２ａ部、はなくても良い。そして、直接、被覆体１３の固定体指先側１３ｃ部と接するようにしても良い。細かい話であるがこのようにすると、１２ａがなくなるので、１３ｃ部の突起状部がなくなり、すっきりとした形にすることが可能となる。また、このように製造する場合も前述の固定体１１を保護体１２で覆った部材を所定の寸法で切断した切断個所を用いれば良いので簡単である。
【００２６】
以上、第１の実施形態及びその変形例を述べたが、いずれも、人差し指、中指、薬指の三本の指に固定体つき手袋を用いることで、親指と小指の動きがある程度自由度を高めつつ、親指と小指の縦の動きを制約し、掻きむしるほどの動きができなくなり、当初の目的を達する。また、第１の実施形態及びその変形例による手袋では、親指、小指には、固定体がなく、親指、小指の横の動きがある程度自由なため、手の指全体の縦の動きは制限しつつ、横の行誤記の制約を少なくしているので、睡眠時に手袋をすることへの違和感が少なくて済むという効果も有する。
【００２７】
（第２の実施形態）
また、本発明の第２の実施形態として、固定体１１を全ての指先に備えるように構成することもできる。これを示したのが図５である。図５の手袋３０は、固定体を全ての指に備える。なお、第１の実施形態及びその変形例で説明したことと基本的には変わらないので、異なるところのみ以下に述べる。
【００２８】
本実施形態においては、図示はしないが、図２に示すｄ部寸法に相当する寸法としては、先端部（末節骨）が大きい親指の特徴上、大人用で１．２ｃｍ程度、あるいはこれ以下、子供用で０．６ｃｍ程度あるいはこれ以下とするのが好ましい。
【００２９】
また、固定体が手のひら部に延びる必要寸法や好ましい寸法は、実施形態１と同様である。なお、本明細書でいう手のひら部とは、指の付け根の可動部分と手のひらとの境界部、例えば、親指では図５に示すＶ−Ｖ’部をいう。そして、腕部３１との境界部であるＺ−Ｚ’部までが手のひら部である。なお、固定体の幅寸法や厚さ寸法は実施形態で述べた内容と同様である。また、本実施形態においても実施形態１における変形例と同様の変形例を設けることができるのはいうまでもない。
【００３０】
第２の実施形態、及びその変形例によれば、すべての指部に固定体を備えたため、親指、小指の爪の保護が更に高まっている、という効果を有する。
【００３１】
なお、図６に本発明でいう曲りの概念を念のため図示するが、本発明の各実施形態では、図示しない固定体１１を設けることにより、爪を有する指先部、つまり、末節骨の部分の中央部に平行な直線Ｃ−Ｃ’と手のひら部からの直線、Ｂ−Ｂ’部のなす角度、θを極力零に近づけるのが目標である。特に機能についての制約はしないが、図８のθとして３０度以内程度になることが好ましい。また、こういう観点から言えば、今までの各実施形態の説明で書き洩らしたが、指先のあそびが多すぎるのは好ましくない。従って、手袋の材質、特に指先部分の材質は、手の甲側方向の指先部分も余り大きな変形を許容しないものであることが好ましい。つまり、ある程度、しっかりとした材質のものであることが好ましい。
【００３２】
また、指先の形状もこの観点では余裕がありすぎるは好ましくない。図２、図３、図４で例示したほどぴったりフィットさせる必要性は必ずしもないので、これらの図よりもあそび部が若干大きい、つまり手袋の被覆体１３や、固定体１１の手の指側に接する方の保護体１２と手の指部とのすきまは若干あっても良いとは言える。しかし、俗な表現であるが手の指の大きさに対して手袋の指先部がブカブカとしているような状態では前述の曲がりを抑えることはできないので好ましくない。こういった観点でいえば、図示していないが、指先を挿入後に指先の手のひら側と、手の甲側を軽く締めつける付属具を設けることもできる。
【００３３】
（その他図示しない変形の態様）
なお、以上の実施形態では、各固定体は、それぞれ相互に独立して手袋に備えられているが、例えば、手のひら部で連結することもできる。この場合、すべての固定体を連結することも一部の固定体のみを連結することも可能である。さらにその連結は接着剤等による固定的な連結を主なうこともできるし、取り外し可能なヒンジ、ネジ等を用いて一時的な連結を行うこともできる。
【００３４】
また、実施形態では、固定体１１は、手袋の被覆体１３などに固定していたが、図示しないが保護体１２を袋状にして被覆体１３の前述の箇所に固定して設け、固定体１1は袋状の保護体１２から分離しておくようにすることもできる。こうしておけば、使用する人が固定体１１を夜などに眠るときだけ袋状の保護体１２に挿入して用い、普段は、固定体をはずして通常の手袋と同様に使用するようにすることも可能である。
【００３５】
この場合、固定体１１は手のひら部から挿入するが、挿入後にファスナーなど固定体の脱落を防止する道具を設けても良く、設けなくても良い。
【００３６】
以上、実施形態を元に本発明を説明した。さらに図示しないその他の変形についても説明したが、本発明は以上の実施形態、変形例などに拘泥されず、その技術思想の範囲で種々の改変ができることはいうまでもないことである。
【図面の簡単な説明】
【００３７】
【図１】第１の実施形態の手袋の図（左手用手袋を手のひら側からみた透視図）
【図２】上記手袋を着用した際の指の長さ方向の断面図
【図３】上記手袋を着用した際の指先部の幅方向の断面図
【図４】第１の実施形態の変形例
【図５】第２の実施形態の手袋の図（左手用手袋を手のひら側からみた透視図）
【図６】指先の曲がりを説明する説明図
【符号の説明】
【００３８】
１    末節骨部（指の先端可動部で爪を有する部分）
２    中節骨部（指の中間可動部、親指にはない部分）
３    基節骨部（指の根元の可動部分で、手のひらへと繋がる部分）
４    爪
５    手袋の親指部  
６    手袋の人指し指部
７    手袋の中指部
８    手袋の薬指部
９    手袋の手のひら部
１１    固定体
１１ａ  固定体の指先方向先端部
１１ｂ  固定体の手のひら方向の先端部  
１２    保護体
１２ａ  保護体の固定体指先側先端部
１３    被覆体
１３ａ  被覆体の手のひら側
１３ｂ  被覆体の手の甲側
１３ｃ  被覆体の固定体指先側先端部
２０、３０    手袋  
２１、３１    手袋の腕部
【要約】
【課題】装着や着脱が容易で、手の爪などによる掻きむしりによる顔、首など体表面の傷を防止したり、爪先の損傷を防止する保護用の手袋を提供する。
【解決手段】本発明は、手の指先を被覆体で覆い、手の爪を保護する手袋であって、手袋の少なくとも人差し指部６、中指部７、薬指部８の被覆体の内側でかつ手のひら方向側にそれぞれ固定体１１を備える。固定体の一方の先端は、前述の各指先の先端部の被覆体内側から大人用手袋で、１ｃｍ以内、子供用手袋にあっては、０．５ｃｍ以内にある。そして固定体１１は、一方の先端部から各指のつけね部までを長さ方向に覆い、さらに手のひら方向に延びている。固定体１１の他方の長さ方向の先端部は、手のひら部分９に少なくとも手のひら部の長さの１／２以上の長さにわたって延びる。本発明は以上のような固定体１１（抵抗体）を備えることで掻きむしり等を快適に防止できる。
【選択図】図１【図１】
0004241868.tif 000002
【図２】
0004241868.tif 000003
【図３】
0004241868.tif 000004
【図４】
0004241868.tif 000005
【図５】
0004241868.tif 000006
【図６】
0004241868.tif 000007